(57)【特許請求の範囲】
【請求項１】
走行機体（２）に、モア装置（８）と集草ボックス（１０）とを備えるとともに、前記モア装置（８）における刈取草を前記集草ボックス（１０）内に導く排出ダクト（１２）を備え、前記集草ボックス（１０）を、刈取草の受け入れ姿勢と受け入れた刈取草の放出姿勢とに切り換え作動するように構成する一方、前記排出ダクト（１２）の底面板（１８）（１９）を、その集草ボックス（１０）側の端部を中心にしてはね上げ回動可能に構成し、この底面板（１８）（１９）と前記集積ボックス（１０）とを、集草ボックス（１０）を放出姿勢にしたとき底面板（１８）（１９）が上向きにはね上げ回動し、集草ボックス（１０）を受け入れ姿勢にしたとき底面板（１８）（１９）が前向きに倒れ回動するように連動して成る走行型芝刈機において、
前記走行機体（２）に設けた回動式の手動操作レバー（３１）を、前記底面板（１８）（１９）に対して、前記集草ボックス（１０）の姿勢切り換え作動では連動して回動しないが、前記集草ボックス（１０）が受け入れ姿勢の場合に前記手動操作レバー（３１）を回動操作することによって前記底面板（１８）（１９）が上向きにはね上げ回動するように連動連結している、
走行型芝刈機。
【請求項２】
前記手動操作レバー（３１）とは別に、前記底面板（１８）（１９）に常時連動して回動する簡易レバー（３０）を備えている、
請求項１に記載の走行型芝刈機。
【発明の詳細な説明】
【技術分野】
【０００１】
本発明は、走行機体に、地面に植立する芝草を刈り取るためのモア装置を装着して成る走行型の芝刈機に関するものである。
【背景技術】
【０００２】
一般に、この種の走行型芝刈機においては、従来から良く知られているように、走行機体に、少なくとも地面に植立する芝草を刈り取るためのモア装置と、集草ボックスと、排出ダクトとを備えて成り、前記集草ボックスを、前記モア装置における刈取草を前記排出ダクトを介して受け入れる姿勢と、その内部に受け入れた刈取草を当該集草ボックス内から放出する姿勢とに選択的に切り換え作動する構成にしている。
【０００３】
先行技術としての特許文献１は、前記した走行型芝刈機において、その排出ダクトの底面板を、当該底面板のうち集草ボックス側の端部を中心にしてはね上げ回動するように構成し、この底面板を前記集草ボックスに連動連結することにより、当該集草ボックスを刈取草の受け入れ姿勢にしたとき前記底面板が前向きに倒れ回動することにより、刈取草を集草ボックス内に受け入れるようにガイドし、集草ボックスを刈取草の放出姿勢にしたとき前記底面板が上向きにはね上げ回動して、刈取草を前記集草ボックス内に受け入れることなく地面に散布するようにガイドするという構成にすることを提案している。
【先行技術文献】
【特許文献】
【０００４】
【特許文献１】特開２００６−２３８７９９号公報
【発明の概要】
【発明が解決しようとする課題】
【０００５】
この特許文献１は、その排出ダクトの底面板を前記集草ボックスに連動連結して、この底面板における上向きへのはね上げ回動を、前記集草ボックスを刈取草の受け入れ姿勢から刈取草の放出姿勢にしたときに限って行なうという構成であることにより、前記集草ボックスを刈取草の受け入れ姿勢した状態で、前記底面板の上面に刈取草が堆積するとか刈取草の詰まりが発生した場合、この堆積とか詰まり等を解消するために前記底面板を上向きへのはね上げ回動するに際しては、その都度、前記集草ボックスを刈取草の放出姿勢に切り換え作動することが必要で、操作が面倒であるばかりか、前記集草ボックス内に折角溜めた刈取草を放出するという事態を招来し、前記集草ボックスを刈取草の受け入れ姿勢にしたままで、前記底面板の上面における刈取草の堆積とか詰まり等を解消することができないという問題があった。
【０００６】
本発明は、この問題を解消した芝刈機を提供することを技術的課題としている。
【課題を解決するための手段】
【０００７】
この技術的課題を達成するため請求項１の発明は、走行機体（２）に、モア装置（８）と集草ボックス（１０）とを備えるとともに、前記モア装置（８）における刈取草を前記集草ボックス（１０）内に導く排出ダクト（１２）を備え、前記集草ボックス（１０）を、刈取草の受け入れ姿勢と受け入れた刈取草の放出姿勢とに切り換え作動するように構成する一方、前記排出ダクト（１２）の底面板（１８）（１９）を、その集草ボックス（１０）側の端部を中心にしてはね上げ回動可能に構成し、この底面板（１８）（１９）と前記集積ボックス（１０）とを、集草ボックス（１０）を放出姿勢にしたとき底面板（１８）（１９）が上向きにはね上げ回動し、集草ボックス（１０）を受け入れ姿勢にしたとき底面板（１８）（１９）が前向きに倒れ回動するように連動して成る走行型芝刈機において、前記走行機体（２）に設けた回動式の手動操作レバー（３１）を、前記底面板（１８）（１９）に対して、前記集草ボックス（１０）の姿勢切り換え作動では連動して回動しないが、前記集草ボックス（１０）が受け入れ姿勢の場合に前記手動操作レバー（３１）を回動操作することによって前記底面板（１８）（１９）が上向きにはね上げ回動するように連動連結しているというものである。
【０００８】
請求項２の発明は、請求項１に記載の走行型芝刈機において、前記手動操作レバー（３１）とは別に、前記底面板（１８）（１９）に常時連動して回動する簡易レバー（３０）を備えているというものである。
【０００９】
【００１０】
【発明の効果】
【００１１】
請求項１によると、手動操作レバーを操作することにより、排気ダクトにおける底面板を、集草ボックスを刈取草の受け入れ姿勢にしたままの状態で上向きにはね上げ回動することができる。
【００１２】
これにより、刈取草を集草ボックスに受け入れる作業中に、排出ダクトにおける底面板の上面に刈取草が堆積又は詰まった場合に、この底面板の上面に堆積又は詰まった刈取草は、前記底面板を前記手動操作レバーの手動操作にて上向きにはね上げ回動することによって、前記集草ボックスへの刈取草の受け入れを継続しながら、前記底面板の上面における刈取草の堆積とか詰まり等を解消することができる。
【００１３】
特に、前記手動操作レバーは、前記集草ボックスを刈取草の受け入れ姿勢から刈取草の放出姿勢に切り換え作動した場合に、これに連動して回動することがないので、前記手動操作レバーが前記集草ボックスの切り換え作動に連動して回動することによって作業者に危険性を及ぼすことを確実に回避でき、安全性を確保できる。
【００１４】
【００１５】
更にまた、簡易レバーの回動位置によって、前記底面板が倒れ回動した位置にあるか、上向きにはね上げ回動した位置にあるか否かを確認することができるほか、この簡易レバーの回動操作によっても、前記底面板の上向きへのはね上げ回動を行なうことができる。
【図面の簡単な説明】
【００１６】
【図１】走行型芝刈機の側面図である。
【図２】走行型芝刈機の平面図である。
【図３】図２のIII−III視拡大断面図である。
【図４】図３のIV−IV視平断面図である。
【図５】図３のＶ−Ｖ視断面図である。
【図６】図３のVI−VI視断面図である。
【図７】図４のVII−VII視拡大断面図である。
【図８】図７の作動状態を示す図である。
【図９】図３のIX−IX視拡大断面図である。
【図１０】図９のＸ−Ｘ視断面図である。
【発明を実施するための形態】
【００１７】
以下、本発明における実施の形態を、図１〜図１０の図面について説明する。
【００１８】
これらの図面は、走行型芝刈機１を示している。
【００１９】
この走行型芝刈機１は、左右の前輪３及び後輪４にて支持されて走行する走行機体２を備え、この走行機体２は、その上面に前から順番にエンジン５、操縦ハンドル６及び操縦座席７が設けられ、前記前輪３及び後輪４のうちいずれか一方又は両方を前記エンジン５にて回転駆動することにより、適宜速度で走行するように構成されている。
【００２０】
また、前記走行機体２のうち前記前輪３と前記後輪４との間には、前記エンジン５からの動力伝達にて駆動されるモア装置８が配設され、このモア装置８は、前記走行機体２に昇降用リンク機構９により、地面３２に対して一定の姿勢を保った状態で、後方に向かって斜め上向きの傾斜に沿って昇降動するように吊設されている。
【００２１】
一方、前記走行機体２のうち前記後輪４よりも後部には、集草ボックス１０が、後方に向かってはね上げ回動するように横ピン軸１１にて枢着されている。
【００２２】
更にまた、前記走行機体２における下面には、前記モア装置８で刈り取った刈取草を前記集草ボックス１０内に導くための排出ダクト１２が、前記両後輪４の間を後方に延びるように設けられている。
【００２３】
前記集草ボックス１０は、前記走行機体２に対して横ピン軸１１にて自在に回動するように装着されており、図１に実線で示す位置にあるとき、つまり、前記排出ダクト１２に接続された状態にあるときには、その内部に、前記排出ダクト１２から後方に放出される刈取草を受け入れ、そして、受け入れた刈取草が所定量になると、二点鎖線で示すように、前記横ピン軸１１を中心にして、前記排出ダクト１２から離れるように後方にはね上げ回動することにより、その内部に溜めた刈取草を放出するという構成になっている。
【００２４】
前記集草ボックス１０を刈取草の受け入れ姿勢と地面への放出姿勢とに選択的に切り換えることは、前記走行機体２に設けた油圧シリンダ３４を、同じく前記走行機体２に設けた姿勢レバー３３によって切り換え作動することによって行なうように構成している。
【００２５】
すなわち、前記横ピン軸１１から一体に突出するアーム３５の先端に、前記油圧シリンダ３４におけるピストン杆３４ａを枢着ピン３６にて連結することにより、前記集草ボックス１０を刈取草の地面への放出姿勢とするようにはね上げ回動することを、前記油圧シリンダ３４におけるピストン杆３４ａの突出動にて行なう一方、前記集草ボックス１０を刈取草の受け入れ姿勢に戻すことを、前記油圧シリンダ３４におけるピストン杆３４ａの後退動にて行なうように構成している。
【００２６】
この場合、前記横ピン軸１１には、略扇形にした面板３７が回転自在に被嵌されており、この面板３７には、前記横ピン軸１１を中心とする円弧状にした長溝孔３８が設けられ、この長溝孔３８には、前記油圧シリンダ３４におけるピストン杆３４ａの先端の枢着ピン３６が摺動自在に嵌まっている。
【００２７】
前記排出ダクト１２は、天井板１３と、この天井板１３の左右両側から垂下する左右一対の側面板１４ａ，１４ｂとによって、底を開放した下向きのコ字状断面に構成されている。
【００２８】
また、前記排出ダクト１２における両側面板１４ａ，１４ｂの内側のうち前記モア装置８側の部分には、前記両側面板１４ａ，１４ｂと平行にした可動式の内側面板１５ａ、１５ｂが、前記モア装置８における刈取草排出口８ａに向かって延びるように配設され、この両内側面板１５ａ，１５ｂのうち前記集草ボックス１０側の基端部（後端部）は、前記排出ダクト１２における両側面板１４ａ，１４ｂに、ピン１６ａ，１６ｂにて回転自在に枢着されている一方、前記両内側面板１５ａ，１５ｂのうち前記モア装置８側の先端部（前端部）は、前記モア装置８に対する昇降リンク機構９にリンク１７ａ，１７ｂを介して連結されている。
【００２９】
前記排出ダクト１２の底面は、前記集草ボックス１０側に位置する出口側底面板１８と、前記モア装置８側に位置する入口側底面板１９とで塞ぐように構成されている。
【００３０】
前記出口側底面板１８は、当該出口側底面板１８のうち集草ボックス１０側の基端部（後端部）を前記排出ダクト１２の後端下部に軸支した横軸２０に固着することにより、前記横軸２０の回動にて上向きにはね上げ回動するように取付けられている。
【００３１】
前記横軸２０は、前記集草ボックス１０における前記面板３７に、連杆２１を介して連結されており、これにより、前記出口側底面板１８は、前記集草ボックス１０が図１に実線で示す刈取草の受け入れ姿勢にあるときには、図３に実線で示すように、前向きに倒れた姿勢になっているが、前記集草ボックス１０が図１に二点鎖線で示す刈取草の放出姿勢になる直前において、前記油圧シリンダ３４におけるピストン杆３４ａの先端の枢着ピン３６が前記面板３７の長溝孔３８における終端３８ａに至り、前記面板３７が後方上向きの反時計方向に回動すると、これに連動して、図３に二点鎖線で示すように、上向きにはね上げ回動するように構成されている。
【００３２】
また、前記集草ボックス１０が図１に実線で示す刈取草の受け入れ姿勢にあるとき、前記油圧シリンダ３４におけるピストン杆３４ａの先端の枢着ピン３６は、図３に示すように、前記面板３７の長溝孔３８のうち中程の部位に位置していることにより、この状態において前記出口側底面板１８は、前記集草ボックス１０の姿勢とは無関係に、前向きに倒れた姿勢から上向きにはね上げ回動できるとともに、その逆方向に回動できるという構成になっている。
【００３３】
一方、前記入口側底面板１９は、当該入口側底面板１９のうち前記集草ボックス１０側の基端部（後端部）を前記両内側面板１５ａ，１５ｂにピン２２にて回転自在に枢着することにより、上向きにはね上げ回動するように構成されている。
【００３４】
前記入口側底面板１９のうち前記モア装置８側の先端部（前端部）１９ａは、前方のモア装置８に向かって斜め下向きの傾斜に折り曲げられ、そして、この先端部１９ａは、前記モア装置８における刈取草排出口８ａの内部における底部に差し込お挿入されており、その先端部１９ａの下面に設けたカム２３が前記刈取草排出口８ａの底部に設けた横バー式の支持部材２４に載っている。
【００３５】
これにより、前記入口側底面板１９は、前記モア装置８側における前記支持部材２４にて、前後方向に自在に移動するように支持されており、この状態から上向きにはね上げ回動する。
【００３６】
一方、前記モア装置８が、その昇降用リンク機構９にて斜め後方に向かって地面３２から離れるように上昇動すると、当該モア装置８と、前記両内側面板１５ａ，１５ｂ、ひいては、前記入口側底面板１９とが互いに接近動することにより、前記入口側底面板１９の先端部１９ａにおける前記刈取草排出口８ａ内への差し込み寸法（Ｌ）が、前記モア装置８の上昇動につれて、図７及び図８に示すように、最下降位置の（Ｌ１）から上昇位置の（Ｌ２）に大きくなるという構成になっている。
【００３７】
この場合、前記モア装置８における刈取草排出口８ａの底部に設けた支持部材２４には、前記モア装置８が最下降位置にあるときには、図７に示すように、前記入口側底面板１９における先端１９ａの下面に設けたカム２３における平面２３ａが載る状態にあるが、前記モア装置８が地面３２から離れるように上昇動したときには、図８に示すように、前記カム２３における傾斜面２３ｂが載る状態になるという構成になっている。
【００３８】
前記出口側底面板１８のうち前記モア装置８側の先端部（前端部）は、当該出口側底面板１８が前向きに倒れた姿勢にあるとき、前記入口側底面板１９のうち前記集草ボックス１０側の基端部（後端部）に設けたストッパー片２５ａ，２５ｂに載った状態に支持されており、この状態からはね上げ回動する。
【００３９】
そして、前記出口側底面板１８及び前記入口側底面板１９における左右両側面と、前記排出ダクト１２における両側面板１４ａ，１４ｂ及び両内側面板１５ａ，１５ｂとの間の各々には、隙間２６ａ，２６ｂが前後方向に延びるように形成され、この隙間２６ａ，２６ｂ内には、帯状板にて構成したリンク杆２７ａ，２７ｂが、前記出口側底面板１８及び前記入口側底面板１９における左右両側面と平行に延びるように配設されている。
【００４０】
前記両リンク杆２７ａ，２７ｂのうち前記集草ボックス１０側の基端（後端）は、前記出口側底面板１８のうち中程部の側面にピン２８ａ，２８ｂにて回動自在に枢着されている。
【００４１】
一方、前記両リンク杆２７ａ，２７ｂのうち前記モア装置８側の先端（前端）は、前記入口側底面板１９のうち中程部の側面にピン２９ａ，２９ｂにて回動自在に枢着されており、これにより、前記出口側底面板１８がはね上げ回動するとこれに連動して前記入口側底面板１９がはね上げ回動し、前記出口側底面板１８が前向きに倒れ回動するとこれに連動して前記入口側底面板１９が前向きに倒れ回動するように構成されている。
【００４２】
また、前記入口側底面板１９と前記両リンク杆２７ａ，２７ｂとを連結する枢着ピン２９ａ，２９ｂが嵌まるピン孔２９ａ′，２９ｂ′を、図７及び図８に示すように、長溝孔にすることにより、前記入口側底面板１９が、前記モア装置８の昇降動に連動して上下回動することを許容するという構成にしている。
【００４３】
なお、前記出口側底面板１８及び前記入口側底面板１９を連結するリンク杆は、これらにおける左右両側面の両方に設けることに限らず、前記出口側底面板１８及び前記入口側底面板１９における左右両側面のうち一方の側面にのみ設けるという構成にできる。
【００４４】
この構成において、前記集草ボックス１０が、図１に実線で示す刈取草の受け入れ姿勢にあるとき、前記排出ダクト１２の底面を形成する入口側底面板１９及び出口側底面板１８は、リンク杆２７ａ，２７ｂを介して互いに連動しながら、同時に前向きに倒れ回動した姿勢になっているから、前記モア装置８において刈り取った刈取草は、前記入口側底面板１９及び出口側底面板１８の上面を後方に流れて、前記集草ボックス１０に受け入れられることになる。
【００４５】
次に、前記集草ボックス１０を、前記油圧シリンダ３４により、図１に二点鎖線で示す刈取草の放出姿勢にする場合、その放出姿勢の直前において、前記油圧シリンダ３４のピストン杆３４ａ先端の枢着ピン３６が前記面板３７の長溝孔３８における終端３８ａに至り、前記面板３７が後方上向きの反時計方向に回動することにより、これに連杆２１を介して連動している前記入口側底面板１９及び出口側底面板１８が、リンク杆２７ａ，２７ｂを介して互いに連動しながら、同時に上向きにはね上げ回動する。
【００４６】
これにより、前記モア装置８において刈り取った刈取草は、前記集草ボックス１０に入ることなく、前記排出ダクト１２の底から地面３２に直接に放出されることになる。
【００４７】
前記出口側底面板１８と前記入口側底面板１９との相互間を連結する前記リンク杆２７ａ，２７ｂは、前記出口側底面板１８及び入口側底面板１９の側面と、前記排出ダクト１２における左右側面板１４ａ，１４ｂ及び左右両内側面１５ａ，１５ｂとの間に形成した隙間２６ａ，２６ｂ内に配設されていることにより、前記入口側底面板１９及び出口側底面板１８の上面における刈取草の流れを妨げることはなく、換言すると、前記入口側底面板１９及び出口側底面板１８の上面には刈取草が引っ掛かるものは存在しないから、刈取草の後方への流れが円滑になる。
【００４８】
そして、前記リンク杆２７ａ，２７ｂは、平面視（図４）において、前記隙間２６ａ，２６ｂを、その略全長にわたって塞ぐという構成になっている。
【００４９】
これにより、前記入口側底面板１９及び出口側底面板１８の上面を流れる刈取草が、前記隙間２６ａ，２６ｂから零れ落ちることを、前記リンク杆２７ａ，２７ｂによって確実に阻止することができる。
【００５０】
図示の実施の形態においては、前記リンク杆２７ａ，２７ｂを、その上端縁に外向きへの折り曲げ片２７ａ′，２７ｂ′を設けて、く字状の断面に構成することに加えて、このリンク杆２７ａ，２７ｂの基端に、前記出口側底面板１８への枢着ピン２８ａ，２８ｂより後方への延長部２７ａ″，２７ｂ″を設けることにより、前記隙間２６ａ，２６ｂをその略全長にわたって塞ぐという構成にしている。
【００５１】
この図示の実施の形態によると、前記リンク杆２７ａ，２７ｂをく字状断面に構成したことにより、強度を向上しながら軽量化できる利点がある。
【００５２】
また、他の実施の形態においては、図示以外の構成にて、前記隙間２６ａ，２６ｂをその略全長にわたって塞ぐように構成することもできる。
【００５３】
前記入口側底面板１９のうち前記モア装置８側の先端部（前端部）１９ａは、斜め下向きの傾斜に折り曲げられた上でモア装置８における刈取草排出口８ａ内の底部に差し込み挿入されており、この状態で前記モア装置８の上昇動に連動して、その間に高さ位置の相対的なずれを生じることなく、換言すると、前記モア装置８と一定の高さ位置を保持したままで上下動する。
【００５４】
これにより、前記モア装置８における刈取草排出口８ａから排出される刈取草を、前記モア装置８の昇降動にかかわらず、換言すると、前記モア装置８がどのような高さ位置にあっても、前記排出ダクト１２内に前記入口側底面板１９を介して零すことなく確実に受け継ぐことができる。
【００５５】
そして、前記入口側底面板１９は、前記モア装置８を上昇動したとき、その下面に設けたカム２３における平面２３ａが支持部材２４に載る状態から、図８に示すように、前記カム２３における傾斜面２３ｂが支持部材２４に載る状態に移動することにより、その先端部１９ａを斜め下向きに傾斜する姿勢に保持することができるから、刈取草を排出ダクト１２内に受け継ぐことができる。
【００５６】
すなわち、前記カム２３を、平面２３ａのみを有し、傾斜面２３ｂを有しない構成にした場合、前記モア装置８の上昇動による前記入口側底面板１９の上向きへの回動角度が、前記傾斜面２３ｂを有する場合に比べて大きくなる。
【００５７】
これにより、この入口側底面板１９の先端部１９ａにおける斜め下向きの傾斜に折り曲げた部分が、前記モア装置８を上昇動するにつれて、次第に水平に近づくようになるから、前記モア装置８における刈取草の前記入口側底面板１９による排出ダクト１２内への受け継ぎ誘導性が低下することになる。
【００５８】
これに対して、前記カム２３に平面２３ａと傾斜面２３ｂとの両方を設ける構成にした場合には、前記モア装置８の上昇動による前記入口側底面板１９の上向きへの回動角度が、前記モア装置８側の支持部材２４への前記カム２３の接当が図８に示すように平面２３ａから傾斜面２３ｂに移動する分だけ小さくなり、この入口側底面板１９の先端部１９ａにおける斜め下向きの傾斜に折り曲げた部分が水平に近づくように小さくなる度合いを大幅に低減できるから、前記モア装置８における刈取草の前記入口側底面板１９による排出ダクト１２内への受け継ぎ誘導性を向上できる。
【００５９】
そして、本発明の実施の形態においては、前記油圧切換操作レバー３３とは別に（これに加えて）、手動操作レバー３１を、前記走行機体２における前記操縦座席７の右側の部位に前方に延びるように設けている。
【００６０】
この手動操作レバー３１は、以下に詳しく説明するように、これを手動にて上向きに回動操作することによって、前記出口側底面板１８が、前記集草ボックス１０を刈取草の受け入れ姿勢に保持した状態のままで、上向きにはね上げ回動するという構成になっている。
【００６１】
すなわち、図９及び図１０に示すように、前記走行機体２の右側における後部に、横向きに延びるレバー軸３９を、一対の軸受け部４０により、その軸線の回りに自在に回転するように軸支して、このレバー軸３９に、前記手動操作レバー３１の基端を固着するとともに、中空軸４１を回転自在に被嵌する。この中空軸４１は、後述する構成にしたことで、前記両底面板１８、１９における重量により、常時反時計方向に回転するように付勢さする構成にするか、或いは、図示していないが、この中空軸４１に、当該中空軸４１を常時反時計方向に回転するように付勢するばね手段を設ける構成にしている。
【００６２】
前記中空軸４１の一端（内端）から突出するアーム４２の先端と、前記出口側底面板１８の基端における横軸２０から突出するアーム４３との間をリンク杆４４にて連結することにより、前記中空軸４１における時計方向への回転にて、前記両底面板１８，１９が上向きにはね上げ回動し、前記中空軸４１における反時計方向への回転にて、前記両底面板１８，１９が前向きに倒れ回動する構成にする。
【００６３】
この場合、前記前記集草ボックス１０が刈取草の受け入れ姿勢にあるとき、油圧シリンダ３４におけるピストン杆３４ａの先端の枢着ピン３６は、図３に示すように、前記面板３７の長溝孔３８のうち中程の部位に位置していることにより、前記集草ボックス１０は、前記中空軸４１の時計方向への回転では回動することはなく、刈取草の受け入れ姿勢に保持される。
【００６４】
一方、前記手動操作レバー３１の基端部にはストッパー片４５を固着し、このストッパー片４５を、前記中空軸４１の他端（外端）から突出するアーム片４６に、前記手動操作レバー３１を上向きに回動すると前記中空軸４１が前記両底面板１８，１９の重量又はそのばね手段に抗して時計方向に回転するように接当する構成にし、更に、前記アーム片４６に、簡易レバー３０を設けており、この簡易レバー３０は、前記手動操作レバー３１よりも内側（走行機体２側）に位置している。
【００６５】
この構成において、手動操作レバー３１を操作することにより、前記中空軸４１が前記両底面板１８，１９の重量又はそのばね手段に抗して時計方向に回転するから、排気ダクト１２における両底面板１８，１９は、集草ボックス１０を刈取草の受け入れ姿勢にしたままの状態で、上向きにはね上げ回動されることになる。
【００６６】
これにより、刈取草を集草ボックス１０に受け入れる作業中に、排出ダクト１２における両底面板１８，１９の上面に刈取草が堆積又は詰まった場合に、この両底面板１８，１９の上面に堆積又は詰まった刈取草は、前記両底面板１８，１９を前記手動操作レバー３１の手動操作にて上向きにはね上げ回動することによって、前記集草ボックス１０への刈取草の受け入れを継続しながら、前記両底面板１８，１９の上面における刈取草の堆積とか詰まり等を解消することができる。
【００６７】
前記刈取草の堆積とか詰まり等を解消すると、前記手動操作レバー３１を下向きに回動操作することにより、前記中空軸４１は、前記両底面板１８，１９の重量又はそのばね手段にて反時計方向に回転するから、前記両底面板１８，１９は、前方に倒れるように回動して、元の姿勢に戻ることにより、刈取草を集草ボックス１０内に導くようにガイドする。
【００６８】
また、前記手動操作レバー３１よりも内側における簡易レバー３０は、前記中空軸４１に固着されていることにより、前記両底面板１８，１９と一緒に回動するから、この簡易レバー３０における回動位置によって、前記両底面板１８，１９が倒れ回動した位置にあるか、上向きにはね上げ回動した位置にあるか否かを確認することができるほか、この簡易レバー３０の手動による回動操作によっても、前記両底面板１８，１９の上向きへのはね上げ回動を行なうことができる。
【００６９】
なお、前記した実施の形態は、排出ダクト１２の底面を、入口側底面板１９と出口側底面板１８との二枚にして、この間を連結することにより、同時にはね上げ回動及び倒れ回動する構成にした場合であったが、本発明は、これに限らず、一枚の底面板の構成にできることはいうまでもない。
【符号の説明】
【００７０】
１  芝刈機
２  走行機体
３  前輪
４  後輪
５  エンジン
８  モア装置
８ａ  モア装置の刈取草排出口
９  モア装置の昇降用リンク機構
１０  集草ボックス
１２  排出ダクト
１３  排出ダクトの天井板
１４ａ，１４ｂ  排出ダクトの側面板
１８  出口側底面板
１９  入口側底面板
２０  横軸
２６ａ，２６ｂ  隙間
２７ａ，２７ｂ  リンク杆
３０  簡易レバー
３１  手動操作レバー
３９  レバー軸
４１  中空軸
【図１】
0005562668.tif 000002
【図２】
0005562668.tif 000003
【図３】
0005562668.tif 000004
【図４】
0005562668.tif 000005
【図５】
0005562668.tif 000006
【図６】
0005562668.tif 000007
【図７】
0005562668.tif 000008
【図８】
0005562668.tif 000009
【図９】
0005562668.tif 000010
【図１０】
0005562668.tif 000011